(57)【要約】【課題】  有限の資源であるコード数を最適にＨＳ−ＰＤＳＣＨに割り当てることが可能な無線ネットワーク制御装置を提供する。【解決手段】  ＲＮＣはステップＳ１において、ＨＳＤＰＡ呼よりも優先度が高いと判断されたサービスクラスのＤＣＨコード使用状況を基にＨＳ−ＰＤＳＣＨコード数の増減を決定する。ＲＮＣ１はステップＳ２において、接続中のＨＳＤＰＡ呼の能力に基づいて、ＨＳ−ＰＤＳＣＨ割り当てコード数の最大値を決定する。ＲＮＣはステップＳ３において、上記２つのステップで決定されたＣｏｎｄｉｔｉｏｎ＿ＩＮＣ、Ｃｏｎｄｉｔｉｏｎ＿ＤＥＣ、及びＮ＿ＨＳ−ＰＤＳＣＨから、実際に割り当てるＨＳ−ＰＤＳＣＨコード数を算出する。【選択図】      図２
2008211695.tif 000002
【特許請求の範囲】
【請求項１】
ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を提供する場合、下り回線で、ＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）に、下りリンクにおいて各物理チャネルの識別に用いられるコードを割り当てる無線ネットワーク制御装置であって、
サービスクラス毎の前記コードの使用状況を測定する手段と、その測定結果と接続中のＨＳＤＰＡ呼の能力とに基づいて前記ＨＳ−ＰＤＳＣＨに割り当てるコード数の最適値を割り出す手段とを有することを特徴とする無線ネットワーク制御装置。
【請求項２】
前記ＨＳＤＰＡ呼よりも優先されるサービスクラスのＤＣＨ（Ｄｅｄｉｃａｔｅｄ  Ｃｈａｎｎｅｌ）コード使用状況を用いて前記ＨＳ−ＰＤＳＣＨのコード数を増加させるか、減少させるか、保つのかを決定するＨＳ−ＰＤＳＣＨ  Ｒｅａｌｌｏｃａｔｉｏｎ  Ｐｈａｓｅと、
現在接続しているＨＳＤＰＡ呼の能力に基づいて前記ＨＳ−ＰＤＳＣＨに割り当てることが可能な最大ＨＳ−ＰＤＳＣＨコード数を決定するＭａｘｉｍｕｍ  ＨＳ−ＰＤＳＣＨ  ｃｏｄｅｓ  ｄｅｃｉｓｉｏｎ  Ｐｈａｓｅと、
前記ＨＳ−ＰＤＳＣＨ  Ｒｅａｌｌｏｃａｔｉｏｎ  Ｐｈａｓｅ及び前記Ｍａｘｉｍｕｍ  ＨＳ−ＰＤＳＣＨ  ｃｏｄｅｓ  ｄｅｃｉｓｉｏｎ  Ｐｈａｓｅで決定された増減・割り当て可能数を用いて実際に割り当てるＨＳ−ＰＤＳＣＨコード数を決定するＨＳ−ＰＤＳＣＨ  Ｃｏｄｅ  ｎｕｍｂｅｒ  Ｄｅｃｉｓｉｏｎ  Ｐｈａｓｅとを実行することを特徴とする請求項１記載の無線ネットワーク制御装置。
【請求項３】
前記ＤＣＨのコード不足を検出した時に前記ＨＳ−ＰＤＳＣＨに割り当てるコードを減少させるＲａｐｉｄ  ＨＳ−ＰＤＳＣＨ  Ｃｏｄｅ  Ｒｅｄｕｃｔｉｏｎ  Ｐｈａｓｅを、前記ＨＳ−ＰＤＳＣＨ  Ｒｅａｌｌｏｃａｔｉｏｎ  Ｐｈａｓｅと前記Ｍａｘｉｍｕｍ  ＨＳ−ＰＤＳＣＨ  ｃｏｄｅｓ  ｄｅｃｉｓｉｏｎ  Ｐｈａｓｅと前記ＨＳ−ＰＤＳＣＨ  Ｃｏｄｅ  ｎｕｍｂｅｒ  Ｄｅｃｉｓｉｏｎ  Ｐｈａｓｅとは独立に実行することを特徴とする請求項２記載の無線ネットワーク制御装置。
【請求項４】
請求項１から請求項３のいずれか記載の無線ネットワーク制御装置を含むことを特徴とする移動通信システム。
【請求項５】
ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を提供する場合、下り回線で、ＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）に、下りリンクにおいて各物理チャネルの識別に用いられるコードを割り当てる無線ネットワーク制御装置に用いる動的ＨＳＤＰＡコード割り当て方法であって、
前記無線ネットワーク制御装置が、サービスクラス毎の前記コードの使用状況を測定する処理と、その測定結果と接続中のＨＳＤＰＡ呼の能力とに基づいて前記ＨＳ−ＰＤＳＣＨに割り当てるコード数の最適値を割り出す処理とを実行することを特徴とする動的ＨＳＤＰＡコード割り当て方法。
【請求項６】
前記無線ネットワーク制御装置が、
前記ＨＳＤＰＡ呼よりも優先されるサービスクラスのＤＣＨ（Ｄｅｄｉｃａｔｅｄ  Ｃｈａｎｎｅｌ）コード使用状況を用いて前記ＨＳ−ＰＤＳＣＨのコード数を増加させるか、減少させるか、保つのかを決定するＨＳ−ＰＤＳＣＨ  Ｒｅａｌｌｏｃａｔｉｏｎ  Ｐｈａｓｅと、
現在接続しているＨＳＤＰＡ呼の能力に基づいて前記ＨＳ−ＰＤＳＣＨに割り当てることが可能な最大ＨＳ−ＰＤＳＣＨコード数を決定するＭａｘｉｍｕｍ  ＨＳ−ＰＤＳＣＨ  ｃｏｄｅｓ  ｄｅｃｉｓｉｏｎ  Ｐｈａｓｅと、
前記ＨＳ−ＰＤＳＣＨ  Ｒｅａｌｌｏｃａｔｉｏｎ  Ｐｈａｓｅ及び前記Ｍａｘｉｍｕｍ  ＨＳ−ＰＤＳＣＨ  ｃｏｄｅｓ  ｄｅｃｉｓｉｏｎ  Ｐｈａｓｅで決定された増減・割り当て可能数を用いて実際に割り当てるＨＳ−ＰＤＳＣＨコード数を決定するＨＳ−ＰＤＳＣＨ  Ｃｏｄｅ  ｎｕｍｂｅｒ  Ｄｅｃｉｓｉｏｎ  Ｐｈａｓｅとを実行することを特徴とする請求項５記載の動的ＨＳＤＰＡコード割り当て方法。
【請求項７】
前記無線ネットワーク制御装置が、
前記ＤＣＨのコード不足を検出した時に前記ＨＳ−ＰＤＳＣＨに割り当てるコードを減少させるＲａｐｉｄ  ＨＳ−ＰＤＳＣＨ  Ｃｏｄｅ  Ｒｅｄｕｃｔｉｏｎ  Ｐｈａｓｅを、前記ＨＳ−ＰＤＳＣＨ  Ｒｅａｌｌｏｃａｔｉｏｎ  Ｐｈａｓｅと前記Ｍａｘｉｍｕｍ  ＨＳ−ＰＤＳＣＨ  ｃｏｄｅｓ  ｄｅｃｉｓｉｏｎ  Ｐｈａｓｅと前記ＨＳ−ＰＤＳＣＨ  Ｃｏｄｅ  ｎｕｍｂｅｒ  Ｄｅｃｉｓｉｏｎ  Ｐｈａｓｅとは独立に実行することを特徴とする請求項６記載の動的ＨＳＤＰＡコード割り当て方法。
【発明の詳細な説明】
【技術分野】
【０００１】
本発明は無線ネットワーク制御装置、移動通信システム及びそれらに用いる動的ＨＳＤＰＡコード割り当て方法に関し、特にＨＳＤＰＡ（Ｈｉｇｈ  Ｓｐｅｅｄ  Ｄｏｗｎｌｉｎｋ  Ｐａｃｋｅｔ  Ａｃｃｅｓｓ）における無線ネットワーク制御装置から基地局へのコードの割り当てに関する。
【背景技術】
【０００２】
Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ：広帯域符号分割多元接続）方式等の移動通信システムにおいて、下り方向の高速伝送方式であるＨＳＤＰＡが用いられており、ＨＳＤＰＡを提供する場合、下り回線で、ＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）とＤＰＣＨ（Ｄｅｄｉｃａｔｅｄ  Ｐｈｙｓｉｃａｌ  Ｃｈａｎｎｅｌ）とを設定する必要がある。
【０００３】
ここで、ＤＰＣＨは制御データを送信するための個別チャネルであり、特に、ＨＳ−ＰＤＳＣＨを制御する時に設定するＤＰＣＨはＡｓｓｏｃｉａｔｅｄ  ＤＰＣＨと呼ばれている。ＤＰＣＨは単独で設定することが可能であり、ユーザデータを送信することができる。ＨＳ−ＰＤＳＣＨはユーザデータをパケット伝送するチャネルであり、複数のユーザ間で時間多重して共用される。
【０００４】
ＲＮＣ（Ｒａｄｉｏ  Ｎｅｔｗｏｒｋ  Ｃｏｎｔｒｏｌｌｅｒ：無線ネットワーク制御装置）は基地局のＨＳ−ＰＤＳＣＨ及びＤＰＣＨにコードを割り当てる（例えば、非特許文献１参照）。コードとは下りリンクにおいて各物理チャネルの識別に用いられるチャネライゼーションコード（Ｃｈａｎｎｅｌｉｚａｔｉｏｎ  ｃｏｄｅ）を示している。
【０００５】
基地局はＲＮＣから通知されるＨＳ−ＰＤＳＣＨの送信電力値を基にＨＳ−ＰＤＳＣＨ及びＤＰＣＨの送信電力を制御するとともに、ＲＮＣから割り当ててられたコード（以下、割り当てコードとする）と上記の送信電力（以下、割り当て電力とする）とを用いて移動局との間にＨＳ−ＰＤＳＣＨを設定する。このＨＳ−ＰＤＳＣＨの設定にはＤＰＣＨが用いられる。但し、基地局はＨＳ−ＰＤＳＣＨの割り当てコードをＤＰＣＨに用いることができない。
【０００６】
また、基地局は移動局からのチャネル品質情報に基づいてＡＭＣＳ（Ａｄａｐｔｉｖｅ  Ｍｏｄｕｌａｔｉｏｎ  ａｎｄ  Ｃｏｄｉｎｇ  Ｓｃｈｅｍｅ）やコード数等の制御を行う。また、基地局はＨＳ−ＰＤＳＣＨでデータを送信する際のスケジューリングを行う。
【０００７】
上述したＨＳ−ＰＤＳＣＨの割り当てコード数とは、基地局がＨＳ−ＰＤＳＣＨに使用することができる最大コード数を指しており、ＨＳ−ＰＤＳＣＨの割り当て電力とは基地局が上記の送信電力制御においてＨＳ−ＰＤＳＣＨに使用することができる最大電力を指している。
【０００８】
このＨＳ−ＰＤＳＣＨに割り当てるコード数及び電力を制限することで、ＴＢＳ（Ｔｒａｎｓｐｏｒｔ  Ｂｌｏｃｋ  Ｓｉｚｅ）が制限、すなわちＯＴＡ（Ｏｖｅｒ  ｔｈｅ  Ａｉｒ）スループットが制限される。ＴＢＳとは上記のコード数と送信電力とチャネル品質情報とから求まる使用可能な転送データ量のことであり、ＯＴＡスループットとは単位時間内に送信することができるビット数（伝送速度）のことである。
【０００９】
上述したコードの割り当て方法において、ＲＮＣは基地局のＨＳ−ＰＤＳＣＨにコードを割り当てるとともに、ＤＰＣＨにも割り当てている。しかしながら、ＲＮＣにはＨＳ−ＰＤＳＣＨに割り当てられたコードのうち、基地局が実際にどの程度コードを利用するかは、基地局からの報告がなければ知ることができない。
【００１０】
このコードの割り当てにおいて、ＨＳ−ＰＤＳＣＨにコードを割り当てすぎる場合には、そのコードが有効に利用されず、ＤＰＣＨに割り当てるコードが不足して、ＨＳ−ＰＤＳＣＨを制御するためのＡｓｓｏｃｉａｔｅｄ  ＤＰＣＨを設定することができず、ＨＳＰＤＡサービスを受信することができる移動局が少なくなるので、ＨＳ−ＰＤＳＣＨを有効に利用することができず、基地局のシステム容量が小さくなる。
【００１１】
また、ＨＳ−ＰＤＳＣＨに割り当てるコードが少な過ぎる場合には、ＨＳ−ＰＤＳＣＨの伝送速度が小さいにも関わらず、Ａｓｓｏｃｉａｔｅｄ  ＤＰＣＨを設定することができるユーザ数が多くなるので、ＨＳＰＤＡサービスを受信することができる移動局が増加し、ＨＳＰＤＡサービスにおいて輻輳が発生する。
【００１２】
上記のＨＳ−ＰＤＳＣＨへのコードの割り当てに関しては、以下の特許文献に記載がある。
【特許文献１】特開２００４−２４２２２７号公報
【非特許文献１】“ＵＴＲＡＮ  ｌｕｂ  ｉｎｔｅｒｆａｃｅ  ＮｏｄｅＢ  Ａｐｐｌｉｃａｔｉｏｎ  Ｐａｒｔ（ＮＢＡＰ）  ｓｉｇｎａｌｌｉｎｇ（Ｒｅｌｅａｓｅ  ７）  ８．２．１８  Ｐｈｙｓｉｃａｌ  Ｓｈａｒｅｄ  Ｃｈａｎｎｅｌ  Ｒｅｃｏｎｆｉｇｕｒａｔｉｏｎ”［３ＧＰＰ  ＴＳ２５．４３３  Ｖ７．３．０（２００６−１２）  ｐｐ７８−８５］
【発明の開示】
【発明が解決しようとする課題】
【００１３】
上述した従来のＨＳＤＰＡにおけるコード割り当てでは、ＨＳ−ＰＤＳＣＨへのコードの割り当て数が運用中に変更可能なパラメータであるが、ＲＮＣがＨＳ−ＰＤＳＣＨに割り当てたコードの使用状況を知ることができない。
【００１４】
ＨＳ−ＰＤＳＣＨへのコードの割り当て方法を間違えると、ＨＳＤＰＡのスループットが悪いにも関わらずＨＳ−ＰＤＳＣＨを多く割り当ててしまい、ＤＣＨ（Ｄｅｄｉｃａｔｅｄ  Ｃｈａｎｎｅｌ）のＣａｌｌ  Ｂｌｏｃｋｉｎｇ  Ｒａｔｅを増加させてしまったり、ＤＣＨの接続数が少なく、ＨＳ−ＰＤＳＣＨのコード数が少ないために、ＨＳＤＰＡのスループットが悪化してしまう。
【００１５】
そこで、本発明の目的は上記の問題点を解消し、有限の資源であるコード数を最適にＨＳ−ＰＤＳＣＨに割り当てることができる無線ネットワーク制御装置、移動通信システム及びそれらに用いる動的ＨＳＤＰＡコード割り当て方法を提供することにある。
【課題を解決するための手段】
【００１６】
本発明による無線ネットワーク制御装置は、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を提供する場合、下り回線で、ＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）に、下りリンクにおいて各物理チャネルの識別に用いられるコードを割り当てる無線ネットワーク制御装置であって、
サービスクラス毎の前記コードの使用状況を測定する手段と、その測定結果と接続中のＨＳＤＰＡ呼の能力とに基づいて前記ＨＳ−ＰＤＳＣＨに割り当てるコード数の最適値を割り出す手段とを備えている。
【００１７】
本発明による移動通信システムは、上記の無線ネットワーク制御装置を含むことを特徴としている。
【００１８】
本発明による動的ＨＳＤＰＡコード割り当て方法は、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を提供する場合、下り回線で、ＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）に、下りリンクにおいて各物理チャネルの識別に用いられるコードを割り当てる無線ネットワーク制御装置に用いる動的ＨＳＤＰＡコード割り当て方法であって、
前記無線ネットワーク制御装置が、サービスクラス毎の前記コードの使用状況を測定する処理と、その測定結果と接続中のＨＳＤＰＡ呼の能力とに基づいて前記ＨＳ−ＰＤＳＣＨに割り当てるコード数の最適値を割り出す処理とを実行している。
【００１９】
すなわち、本発明の移動通信システムは、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を提供する場合、下り回線で、ＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）に、下りリンクにおいて各物理チャネルの識別に用いられるコードを割り当てるシステムにおいて、サービスクラス毎のコードの使用状況を測定することと、接続中のＨＳＤＰＡ呼の能力（最大使用ＨＳ−ＰＤＳＣＨコード数）を考慮することで、ＨＳ−ＰＤＳＣＨに割り当てるコード数の最適値を割り出している。
【００２０】
本発明の移動通信システムでは、ＲＮＣ（Ｒａｄｉｏ  Ｎｅｔｗｏｒｋ  Ｃｏｎｔｒｏｌｌｅｒ：無線ネットワーク制御装置）に、ＨＳ−ＰＤＳＣＨ  Ｒｅａｌｌｏｃａｔｉｏｎ  Ｐｈａｓｅ、Ｍａｘｉｍｕｍ  ＨＳ−ＰＤＳＣＨ  ｃｏｄｅｓ  ｄｅｃｉｓｉｏｎ  Ｐｈａｓｅ、ＨＳ−ＰＤＳＣＨ  Ｃｏｄｅ  ｎｕｍｂｅｒ  Ｄｅｃｉｓｉｏｎ  Ｐｈａｓｅを持っている。
【００２１】
ＨＳ−ＰＤＳＣＨ  Ｒｅａｌｌｏｃａｔｉｏｎ  Ｐｈａｓｅでは、ＨＳＤＰＡ呼よりも優先されるサービスクラスのＤＣＨ（Ｄｅｄｉｃａｔｅｄ  Ｃｈａｎｎｅｌ）コード使用状況を用いて、ＨＳ−ＰＤＳＣＨコード数を増加させるか、減少させるか、保つのかを決定している。
【００２２】
Ｍａｘｉｍｕｍ  ＨＳ−ＰＤＳＣＨ  ｃｏｄｅｓ  ｄｅｃｉｓｉｏｎ  Ｐｈａｓｅでは、現在接続しているＨＳＤＰＡ呼の能力を考慮して、ＨＳ−ＰＤＳＣＨに割り当てることが可能な最大ＨＳ−ＰＤＳＣＨコード数を決定している。
【００２３】
ＨＳ−ＰＤＳＣＨ  Ｃｏｄｅ  ｎｕｍｂｅｒ  Ｄｅｃｉｓｉｏｎ  Ｐｈａｓｅでは、上記のＨＳ−ＰＤＳＣＨ  Ｒｅａｌｌｏｃａｔｉｏｎ  Ｐｈａｓｅと、Ｍａｘｉｍｕｍ  ＨＳ−ＰＤＳＣＨ  ｃｏｄｅｓ  ｄｅｃｉｓｉｏｎ  Ｐｈａｓｅとで決定された増減・割り当て可能数を用いて、実際に割り当てるＨＳ−ＰＤＳＣＨコード数を決定している。
【００２４】
また、上記以外に、バースト的なトラフィック（Ｔｒａｆｆｉｃ）増加によるＤＣＨコードの不足を考慮して、Ｒａｐｉｄ  ＨＳ−ＰＤＳＣＨ  Ｃｏｄｅ  Ｒｅｄｕｃｔｉｏｎ  Ｐｈａｓｅを用意する。このＰｈａｓｅは、上記とは独立して動作するもので、ＤＣＨのコード不足をＲＮＣで検出した時にＨＳ−ＰＤＳＣＨコードを減少させる機能である。
【００２５】
このように、本発明の移動通信システムでは、ＨＳＤＰＡにコード（ＨＳ−ＰＤＳＣＨコード）を割り当てる際に、サービス種別毎のコード使用状況・ＨＳＤＰＡ呼の能力を考慮することで、最適にＨＳ−ＰＤＳＣＨコード数を割り当てることを可能としている。
【発明の効果】
【００２６】
本発明は、上記のような構成及び動作とすることで、有限の資源であるコード数を最適にＨＳ−ＰＤＳＣＨに割り当てることができるという効果が得られる。
【発明を実施するための最良の形態】
【００２７】
次に、本発明の実施例について図面を参照して説明する。図１は本発明の一実施例による移動通信システムの構成例を示すブロック図である。図１において、本発明の一実施例による移動通信システムは、ＲＮＣ（Ｒａｄｉｏ  Ｎｅｔｗｏｒｋ  Ｃｏｎｔｒｏｌｌｅｒ：無線ネットワーク制御装置）１と、基地局２と、３とから構成されている。ＲＮＣ１には動的ＨＳＤＰＡ（Ｈｉｇｈ  Ｓｐｅｅｄ  Ｄｏｗｎｌｉｎｋ  Ｐａｃｋｅｔ  Ａｃｃｅｓｓ）コード割り当て部１１と、内部周期タイマ１２とを備えている。
【００２８】
動的ＨＳＤＰＡコード割り当て部１１のアルゴリズムは、例えば、（１）基地局２からのＣｏｍｍｏｎ  Ｍｅａｓｕｒｅｍｅｎｔ  Ｒｅｐｏｒｔを受信した時、（２）呼接続要求がきた時、（３）移動機３からＲＲＣ（Ｒａｄｉｏ  Ｒｅｓｏｕｒｃｅ  Ｃｏｎｔｒｏｌ）確立要求がきた時、（４）ＲＮＣ１の内部周期タイマ１２が満了した時、等に起動されることになる。
【００２９】
動的ＨＳＤＰＡコード割り当て部１１のアルゴリズムが起動された時、ＲＮＣ１は、ＨＳ−ＰＤＳＣＨコード（Ｃｏｄｅ）数を減少させるか、増加させるか、現状維持するかを決定するＨＳ−ＰＤＳＣＨ  Ｒｅａｌｌｏｃａｔｉｏｎ  Ｐｈａｓｅを起動する。
【００３０】
ここで、ＨＳ−ＰＤＳＣＨコード数を減少させるか、増加させることが決定すると、ＲＮＣ１は、Ｍａｘｉｍｕｍ  ＨＳ−ＰＤＳＣＨ  Ｃｏｄｅｓ  ｄｅｃｉｓｉｏｎ  Ｐｈａｓｅに移行する。ここでは、ＨＳ−ＰＤＳＣＨコード数の最大割り当て可能数を決定する。その後、ＲＮＣ１は、ＨＳ−ＰＤＳＣＨ  Ｃｏｄｅ  ｎｕｍｂｅｒ  Ｄｅｃｉｓｉｏｎ  Ｐｈａｓｅで実際の割り当てコード数を決定することになる。
【００３１】
図２は本発明の一実施例によるＲＮＣ１の処理順序を示すフローチャートであり、図３は本発明の一実施例によるＢｉｔ  Ｒａｔｅ対ＨＳ−ＰＤＳＣＨコード数対応表の一例を示す図であり、図４〜図６は本発明の一実施例におけるＨＳ−ＰＤＳＣＨコード数を増加させることを決定した後に実際に割り当てられるコード数の選択論理を示す図である。
【００３２】
図７〜図９は本発明の一実施例におけるＨＳ−ＰＤＳＣＨコード数を減少させることを決定した後に実際に割り当てられるコード数の選択論理を示す図であり、図１０は本発明の一実施例によるＲａｐｉｄ  ＨＳ−ＰＤＳＣＨ  Ｃｏｄｅ  Ｒｅｄｕｃｔｉｏｎ  Ｐｈａｓｅの処理を示すフローチャートである。
【００３３】
これら図１〜図１０を参照して本発明の一実施例によるＲＮＣ１の処理順序について説明する。
【００３４】
ＲＮＣ１は、まず、ＨＳ−ＰＤＳＣＨ  Ｒｅａｌｌｏｃａｔｉｏｎ  Ｐｈａｓｅにおいて、ＨＳＤＰＡ呼よりも優先度が高いと判断されたサービスクラスのＤＣＨコード使用状況を基にＨＳ−ＰＤＳＣＨコード数の増減を決定する（図２ステップＳ１）。ＲＮＣ１では、どのサービスクラスがどのくらいのコードを使用しているかを知ることができる。
【００３５】
ここで、ＡＭＲ（Ａｄａｐｔｉｖｅ  Ｍｕｌｔｉ  Ｒａｔｅ）のコード使用量：ＣＵ（Ｃｏｄｅ  Ｕｔｉｌｉｚａｔｉｏｎ）＿ＡＭＲ、ＵＤＩ（Ｕｎｒｅｓｔｒｉｃｔｅｄ  Ｄｉｇｉｔａｌ  Ｉｎｆｏｒｍａｔｉｏｎ）のコード使用量：ＣＵ＿ＵＤＩ、Ｓｔｒｅａｍｉｎｇのコード使用量：ＣＵ＿Ｓｔ、Ｉｎｔｅｒａｃｔｉｖｅ  ｏｎ  ＤＣＨのコード使用量：ＣＵ＿ＩＡ、Ｂａｃｋｇｒｏｕｎｄ  ｏｎ  ＤＣＨのコード使用量：ＣＵ＿ＢＧ、ＳＲＢ（Ｓｉｇｎａｌｌｉｎｇ  Ｒａｄｉｏ  Ｂｅａｒｅｒ）のコード使用量：ＣＵ＿ＳＲＢと定義する。
【００３６】
この時、オペレータが、ＨＳＤＰＡ呼の優先度を、ＳＲＢ＞ＡＭＲ＞ＵＤＩ＞Ｓｔｒｅａｍｉｎｇ＞ＨＳＤＰＡ＞Ｉｎｔｅｒａｃｔｉｖｅ＞Ｂａｃｋｇｒｏｕｎｄというように設定したとする。
【００３７】
ＲＮＣ１は、
ＣＵ＝“ＣＵ＿ＳＲＢ＋ＣＵ＿ＡＭＲ＋ＣＵ＿ＵＤＩ＋ＣＵ＿Ｓｔ”
の使用率を計算する。このＣＵがある一定以上の割合で使用されていれば、ＲＮＣ１はＨＳ−ＰＤＳＣＨコード数を減少させる条件Ｃｏｎｄｉｔｉｏｎ＿ＩＮＣをＴＲＵＥに設定し、ある一定以下であれば、ＨＳ−ＰＤＳＣＨコード数を増加させる条件Ｃｏｎｄｉｔｉｏｎ＿ＤＥＣをＴＲＵＥに設定させる。
【００３８】
この場合、
・もし、ＣＵ／最大コード数＞Ｔｈｒｅｓｈｏｌｄ＿Ｈｉｇｈならば、Ｃｏｎｄｉｔｉｏｎ＿ＤＥＣ＝ＴＲＵＥ、Ｃｏｎｄｉｔｉｏｎ＿ＩＮＣ＝ＦＡＬＳＥに設定する
・もし、ＣＵ／最大コード数＜Ｔｈｒｅｓｈｏｌｄ＿Ｌｏｗならば、Ｃｏｎｄｉｔｉｏｎ＿ＤＥＣ＝ＦＡＬＳＥ、Ｃｏｎｄｉｔｉｏｎ＿ＩＮＣ＝ＴＲＵＥに設定する
・それ以外は、Ｃｏｎｄｉｔｉｏｎ＿ＤＥＣ＝ＦＡＬＳＥ、Ｃｏｎｄｉｔｉｏｎ＿ＩＮＣ＝ＦＡＬＳＥに設定する
という方法にて条件を決定する。
【００３９】
次に、ＲＮＣ１はＭａｘｉｍｕｍ  ＨＳ−ＰＤＳＣＨ  ｃｏｄｅｓ  ｄｅｃｉｓｉｏｎ  Ｐｈａｓｅにおいて、接続中のＨＳＤＰＡ呼の能力に基づいて、ＨＳ−ＰＤＳＣＨ割り当てコード数の最大値を決定する（図２ステップＳ２）。
【００４０】
ＲＮＣ１は、今、対象セルに接続されているＨＳＤＰＡ呼の情報をＵＥ  Ｃａｔｅｇｏｒｙ毎に、
Ｎ＿Ｃａｔｅｇｏｒｙ１：ＵＥ  Ｃａｔｅｇｏｒｙ１のＨＳＤＰＡ呼数
Ｎ＿Ｃａｔｅｇｏｒｙ２：ＵＥ  Ｃａｔｅｇｏｒｙ２のＨＳＤＰＡ呼数
・
・
・
Ｎ＿Ｃａｔｅｇｏｒｙ１０：ＵＥ  Ｃａｔｅｇｏｒｙ１０のＨＳＤＰＡ呼数
Ｎ＿Ｃａｔｅｇｏｒｙ１１：ＵＥ  Ｃａｔｅｇｏｒｙ１１のＨＳＤＰＡ呼数
Ｎ＿Ｃａｔｅｇｏｒｙ１２：ＵＥ  Ｃａｔｅｇｏｒｙ１２のＨＳＤＰＡ呼数
というように持つ。
【００４１】
ここで、３ＧＰＰ  ＴＳ２５．２１４［“Ｐｈｙｓｉｃａｌ  ｌａｙｅｒ  ｐｒｏｃｅｄｕｒｅｓ（ＦＤＤ）”（２００６−０６）］によれば、ＵＥ  Ｃａｔｅｇｏｒｙ毎にそのＵＥが使用できる最大ＨＳ−ＰＤＳＣＨコード数は、
ＵＥ  Ｃａｔｅｇｏｒｙ１〜６    ：最大５コード
ＵＥ  Ｃａｔｅｇｏｒｙ７，８    ：最大１０コード
ＵＥ  Ｃａｔｅｇｏｒｙ９        ：最大１２コード
ＵＥ  Ｃａｔｅｇｏｒｙ１０      ：最大１５コード
ＵＥ  Ｃａｔｅｇｏｒｙ１１，１２：最大５  コード
となっている。
【００４２】
ＲＮＣ１は、この中でもっとも多く、対象セルに接続しているＵＥ  Ｃａｔｅｇｏｒｙを検索する。例えば、Ｎ＿Ｃａｔｅｇｏｒｙ９がもっとも多い場合、ＲＮＣ１は、ＨＳ−ＰＤＳＣＨコード数を１２よりも多く割り当てないようにする。この上限値をＮ＿ＨＳ−ＰＤＳＣＨ＿Ｍａｘと呼ぶことにする。
【００４３】
Ｎ＿ＨＳ−ＰＤＳＣＨ＿Ｍａｘを決定する方法としては、
（第１の方法）
この方法は、ＨＳＤＰＡ呼の最大使用ＨＳ−ＰＤＳＣＨコード数の平均値をとる方法である。実際には、
Ｎ＿ＨＳ−ＰＤＳＣＨ＿Ｍａｘ
＝｛５×（Ｎ＿Ｃａｔｅｇｏｒｙ１＋Ｎ＿Ｃａｔｅｇｏｒｙ２
＋・・・＋Ｎ＿Ｃａｔｅｇｏｒｙ６＋Ｎ＿Ｃａｔｅｇｏｒｙ１１
＋Ｎ＿Ｃａｔｅｇｏｒｙ１２）
＋１０×（Ｎ＿Ｃａｔｅｇｏｒｙ７＋Ｎ＿Ｃａｔｅｇｏｒｙ８）
＋１２×Ｎ＿Ｃａｔｅｇｏｒｙ９
＋１５×Ｎ＿Ｃａｔｅｇｏｒｙ１０｝／（Ｎ＿Ｃａｔｅｇｏｒｙ１
＋・・・Ｎ＿Ｃａｔｅｇｏｒｙ１２）
というように計算を行う。
（第２の方法）
該当セルに存在するＨＳＤＰＡ呼で最大使用コード数がもっとも大きいものを選択する方法である。最大のものを選択すれば、ＨＳＤＰＡのスループット（Ｔｈｒｏｕｇｈｐｕｔ）の改善が期待できることになる。
（第３の方法）
接続中の各ＨＳＤＰＡ呼の能力（ＵＥ  Ｃａｔｅｇｏｒｙにより決定）と、コアネットワークから通知されるＭａｘｉｍｕｍ  Ｂｉｔ  Ｒａｔｅとを考慮した方法である。コアネットワークから通知されるＭａｘｉｍｕｍ  Ｂｉｔ  Ｒａｔｅとは、これ以上Ｂｉｔ  Ｒａｔｅを出してはいけないという情報である。
という方法も考えられる。
【００４４】
ＲＮＣ１は各ＵＥのＭａｘｉｍｕｍ  Ｂｉｔ  Ｒａｔｅ（ＭＢＲ）を知ることができるため、３ＧＰＰ  ＴＳ２５．２１４から導き出される各ＵＥ  ＣａｔｅｇｏｒｙのＢｉｔ  ｒａｔｅ対ＨＳ−ＰＤＳＣＨコード数対応表からそのＵＥが最大使用するＨＳ−ＰＤＳＣＨコード数を導き出す。
【００４５】
ＲＮＣ１は接続している各ＵＥが使用する最大ＨＳ−ＰＤＳＣＨコード数を導き出した後、接続しているＵＥの最大使用ＨＳ−ＰＤＳＣＨコード数をＮ＿ＨＳ−ＰＤＳＣＨ＿Ｍａｘとしたり、平均値をＮ＿ＨＳ−ＰＤＳＣＨ＿Ｍａｘとしたり、同数のＨＳ−ＰＤＳＣＨコード数を使用するＵＥ数が最も多いコード数をＮ＿ＨＳ−ＰＤＳＣＨ＿Ｍａｘとして決定することも可能である。
【００４６】
このＢｉｔ  Ｒａｔｅ対ＨＳ−ＰＤＳＣＨコード数対応表の一例を図３に示す。図３に示す対応表はＵＥ  Ｃａｔｅｇｏｒｙ１０の一例である。例えば、あるＨＳＤＰＡ呼のＭＢＲが８Ｍｂｐｓに設定されていたとすると、このＨＳＤＰＡ呼が最大限に能力を発揮するためには、ＨＳ−ＰＤＳＣＨコード数が１２コード必要である。したがって、このＨＳＤＰＡ呼のＨＳ−ＰＤＳＣＨコード数を１２と設定する。
【００４７】
このように、ＲＮＣ１では、各ＨＳＤＰＡ呼のＨＳ−ＰＤＳＣＨコード数を割り出し、全ＨＳＤＰＡ呼の平均や、最大値をＮ＿ＨＳ−ＰＤＳＣＨ＿Ｍａｘとして定義する。
【００４８】
ＲＮＣ１は、上記で得られたＮ＿ＨＳ−ＰＤＳＣＨ＿Ｍａｘと、局データで定義されるＮ＿ＨＳ−ＰＤＳＣＨ＿Ｍｉｎとを用いて、Ｎ＿ＨＳ−ＰＤＳＣＨを、
Ｎ＿ＨＳ−ＰＤＳＣＨ
＝Ｍａｘ（Ｎ＿ＨＳ−ＰＤＳＣＨ＿Ｍａｘ，Ｎ＿ＨＳ−ＰＤＳＣＨ＿Ｍｉｎ）
というように計算する。Ｎ＿ＨＳ−ＰＤＳＣＨ＿Ｍｉｎは、ＨＳ−ＰＤＳＣＨコード数の最小値を定義するパラメータであり、オペレータがこれ以上ＨＳ−ＰＤＳＣＨコード数を減らしたくない値が設定されることになる。
【００４９】
３ＧＰＰ  ＴＳ２５．４３３によれば、ＨＳ−ＰＤＳＣＨコード数＝０をＲＮＣ１から基地局２に通知すると、基地局２がＨＳＤＰＡ関連のリソースをすべて開放してしまうため、Ｎ＿ＨＳ−ＰＤＳＣＨ＿Ｍｉｎの値は１以上を設定することになる。
【００５０】
続いて、ＲＮＣ１は、ＨＳ−ＰＤＳＣＨ  Ｃｏｄｅ  ｎｕｍｂｅｒ  Ｄｅｃｉｓｉｏｎ  Ｐｈａｓｅにおいて、上記２つのＰｈａｓｅで決定されたＣｏｎｄｉｔｉｏｎ＿ＩＮＣ、Ｃｏｎｄｉｔｉｏｎ＿ＤＥＣ、及びＮ＿ＨＳ−ＰＤＳＣＨから、実際に割り当てるＨＳ−ＰＤＳＣＨコード数を算出する（図２ステップＳ３）。
【００５１】
ＲＮＣ１は、
・もし、Ｃｏｎｄｉｔｉｏｎ＿ＩＮＣ＝ＴＲＵＥ、かつＣｏｎｄｉｔｉｏｎ＿ＤＥＣ＝ＦＡＬＳＥなら、ＲＮＣ１は、
割り当てＨＳ−ＰＤＳＣＨコード数
＝Ｍｅｄｉａｎ（Ｃｕｒｒｅｎｔ  ＨＳ−ＰＤＳＣＨコード数
＋Ｓｔｅｐ  Ｓｉｚｅ  １、Ｎ＿ＨＳ−ＰＤＳＣＨ、
Ｃｕｒｒｅｎｔ  ＨＳ−ＰＤＳＣＨコード数）
という計算を行い、次に割り当てるＨＳ−ＰＤＳＣＨコード数を決定する。
・もし、Ｃｏｎｄｉｔｉｏｎ＿ＩＮＣ＝ＦＡＬＳＥ、かつＣｏｎｄｉｔｉｏｎ＿ＤＥＣ＝ＴＲＵＥなら、ＲＮＣ１は、
割り当てＨＳ−ＰＤＳＣＨコード数
＝Ｍｅｄｉａｎ（Ｃｕｒｒｅｎｔ  ＨＳ−ＰＤＳＣＨコード数
−Ｓｔｅｐ  Ｓｉｚｅ  ２、Ｎ＿ＨＳ−ＰＤＳＣＨ、
Ｃｕｒｒｅｎｔ  ＨＳ−ＰＤＳＣＨコード数）
という計算を行い、次に割り当てるＨＳ−ＰＤＳＣＨコード数を決定する。
・もし、Ｃｏｎｄｉｔｉｏｎ＿ＩＮＣ＝ＦＡＬＳＥ、かつＣｏｎｄｉｔｉｏｎ＿ＤＥＣ＝ＦＡＬＳＥなら、ＲＮＣ１が現状のＨＳ−ＰＤＳＣＨコード数を維持する。
という処理によって、実際に割り当てるＨＳ−ＰＤＳＣＨコード数を決定する。
【００５２】
ここで、Ｓｔｅｐ  Ｓｉｚｅ  １／２は、急激なＨＳ−ＰＤＳＣＨコード数の減少や増加に伴う、ＨＳＤＰＡのスループットの減少やＤＣＨ呼のＣａｌｌ  Ｂｌｏｃｋｉｎｇ  Ｒａｔｅの増加を抑えるために導入される。
【００５３】
図４〜図６には、ＤＣＨのコード使用率が小さいことによって、ＨＳ−ＰＤＳＣＨコード数を増加させることが決定された時の各パターンにおける割り当てＨＳ−ＰＤＳＣＨコード数の選択論理を示している。
【００５４】
図４には、上記の計算の結果、Ｎ＿ＨＳ−ＰＤＳＣＨ＞Ｃｕｒｒｅｎｔ  ＨＳ−ＰＤＳＣＨコード数＋Ｓｔｅｐ  Ｓｉｚｅ  １＞Ｃｕｒｒｅｎｔ  ＨＳ−ＰＤＳＣＨコード数となった場合のコード選択方法を示している。この場合、ＨＳ−ＰＤＳＣＨを多く割り当てた方がＨＳＤＰＡのスループットの改善が見込めるが、急激にＨＳ−ＰＤＳＣＨコード数を増やすことによるＤＣＨ呼損率の増加が考えられるため、“Ｃｕｒｒｅｎｔ  ＨＳ−ＰＤＳＣＨコード数＋Ｓｔｅｐ  Ｓｉｚｅ  １”が選ばれることとなる。
【００５５】
図５には、上記の計算の結果、Ｃｕｒｒｅｎｔ  ＨＳ−ＰＤＳＣＨコード数＋Ｓｔｅｐ  Ｓｉｚｅ  １＞Ｎ＿ＨＳ−ＰＤＳＣＨ＞Ｃｕｒｒｅｎｔ  ＨＳ−ＰＤＳＣＨコード数となった場合のコード選択方法を示している。この場合、Ｓｔｅｐ  Ｓｉｚｅの計算では、Ｃｕｒｒｅｎｔ  ＨＳ−ＰＤＳＣＨコード数＋Ｓｔｅｐ  Ｓｉｚｅ  １となる必要があるが、Ｃｕｒｒｅｎｔ  ＨＳ−ＰＤＳＣＨコード数＋Ｓｔｅｐ  Ｓｉｚｅ  １を割り当ててもＨＳＤＰＡのスループット改善が見込めないため、“Ｎ＿ＨＳ−ＰＤＳＣＨ”が選択されることになる。
【００５６】
図６には、上記の計算の結果、Ｃｕｒｒｅｎｔ  ＨＳ−ＰＤＳＣＨコード数＋Ｓｔｅｐ  Ｓｉｚｅ  １＞Ｃｕｒｒｅｎｔ  ＨＳ−ＰＤＳＣＨコード数＞Ｎ＿ＨＳ−ＰＤＳＣＨとなった場合のコード選択方法を示している。この場合、現状のコード数ではＨＳＤＰＡにコードを割り当てすぎている状況であるが、ＤＣＨのコード使用率も小さいため、“現状維持（Ｃｕｒｒｅｎｔ  ＨＳ−ＰＤＳＣＨコード数の選択）”を行っている。
【００５７】
図７〜図９には、ＤＣＨのコード使用率が大きいことによって、ＨＳ−ＰＤＳＣＨコード数を増加させることが決定された時の各パターンにおける割り当てＨＳ−ＰＤＳＣＨコード数の選択論理を示している。
【００５８】
図７には、上記の計算の結果、Ｃｕｒｒｅｎｔ  ＨＳ−ＰＤＳＣＨコード数＞Ｎ＿ＨＳ−ＰＤＳＣＨ＞Ｃｕｒｒｅｎｔ  ＨＳ−ＰＤＳＣＨコード数−Ｓｔｅｐ  Ｓｉｚｅ  ２となった場合のコード選択方法を示している。この場合、Ｓｔｅｐ  Ｓｉｚｅの計算では、Ｃｕｒｒｅｎｔ  ＨＳ−ＰＤＳＣＨコード数−Ｓｔｅｐ  Ｓｉｚｅ  ２までＨＳ−ＰＤＳＣＨコード数を減らした方が良いが、Ｎ＿ＨＳ−ＰＤＳＣＨ以下までＨＳ−ＰＤＳＣＨコードを減らすことによるＨＳＤＰＡのスループットの減少を考慮して、“Ｎ＿ＨＳ−ＰＤＳＣＨ”が選択されている。
【００５９】
図８には、上記の計算の結果、Ｃｕｒｒｅｎｔ  ＨＳ−ＰＤＳＣＨコード数＞Ｃｕｒｒｅｎｔ  ＨＳ−ＰＤＳＣＨコード数−Ｓｔｅｐ  Ｓｉｚｅ  ２＞Ｎ＿ＨＳ−ＰＤＳＣＨとなった場合のコード選択方法を示している。この場合、Ｎ＿ＨＳ−ＰＤＳＣＨまでＨＳ−ＰＤＳＣＨコード数を減らしてもＨＳＤＰＡのスループットに影響はないが、急激なＨＳ−ＰＤＳＣＨコード数の減少によるスケジューラへの影響（ＨＳＤＰＡのスループットの減少を引き起こす）を考慮し、“Ｃｕｒｒｅｎｔ  ＨＳ−ＰＤＳＣＨコード数−Ｓｔｅｐ  Ｓｉｚｅ  ２”が選択されている。
【００６０】
図９には、上記の計算の結果、Ｎ＿ＨＳ−ＰＤＳＣＨ＞Ｃｕｒｒｅｎｔ  ＨＳ−ＰＤＳＣＨコード数＞Ｃｕｒｒｅｎｔ  ＨＳ−ＰＤＳＣＨコード数−Ｓｔｅｐ  Ｓｉｚｅ  ２となった場合のコード選択方法を示している。この場合、ＨＳＤＰＡのスループットを改善するならばＮ＿ＨＳ−ＰＤＳＣＨを、ＤＣＨの呼損率を考慮するならばＣｕｒｒｅｎｔ  ＨＳ−ＰＤＳＣＨコード数−Ｓｔｅｐ  Ｓｉｚｅ  ２を選択するべきである。しかしながら、前者を採用すると、ＤＣＨ呼損率が急激に増加、後者であればＨＳＤＰＡのスループットの急激な減少を引き起こすことになるため、現状を維持するために“Ｃｕｒｒｅｎｔ  ＨＳ−ＰＤＳＣＨコード数”が選択されている。
【００６１】
図１０には、Ｒａｐｉｄ  ＨＳ−ＰＤＳＣＨ  Ｃｏｄｅ  Ｒｅｄｕｃｔｉｏｎ  Ｐｈａｓｅの処理手順を示している。ＲＮＣ１は、Ｒａｐｉｄ  ＨＳ−ＰＤＳＣＨ  Ｃｏｄｅ  Ｒｅｄｕｃｔｉｏｎ  Ｐｈａｓｅにおいて、ＤＣＨの確立がコード不足によって拒絶された時、対象の呼のサービスクラスがＨＳＤＰＡ呼よりも高いかどうかをチェックする。
【００６２】
例えば、拒絶された呼のサービスクラスがＵＤＩで、オペレータが設定した優先度が、
ＳＲＢ＞ＡＭＲ＞ＵＤＩ＞Ｓｔｒｅａｍｉｎｇ＞ＨＳＤＰＡ＞Ｉｎｔｅｒａｃｔｉｖｅ＞Ｂａｃｋｇｒｏｕｎｄ
という場合、ＲＮＣ１は、ＨＳ−ＰＤＳＣＨコード数を、
割り当てＨＳ−ＰＤＳＣＨコード数
＝Ｍｅｄｉａｎ（Ｃｕｒｒｅｎｔ  ＨＳ−ＰＤＳＣＨコード数−Ｓｔｅｐ  Ｓｉｚｅ  ｆｏｒ  ＲＨＣＲ、Ｎ＿ＨＳ−ＰＤＳＣＨ＿Ｍｉｎ）
という式で減少させる。Ｓｔｅｐ  Ｓｉｚｅ  ｆｏｒ  ＲＨＣＲは、このＰｈａｓｅ独自に用意されるＳｔｅｐ  Ｓｉｚｅである。
【００６３】
このように、本実施例では、ＤＣＨコード使用率とＨＳＤＰＡ呼の能力（最大使用ＨＳ−ＰＤＳＣＨコード数）とを考慮して、ＨＳ−ＰＤＳＣＨコード割り当て数を決定することで、最適にＨＳ−ＰＤＳＣＨコード数の割り当て数を決定することができる。
【００６４】
また、本実施例では、サービスクラス毎のＤＣＨコード使用数を使用することで、各サービスクラスの優先度を考慮してＨＳ−ＰＤＳＣＨコード数を決定することができる。
【００６５】
さらに、本実施例では、バースト的なトラフィック（Ｔｒａｆｆｉｃ）増加が発生した時に、ＨＳ−ＰＤＳＣＨコード数を緊急に減少させることで、ＤＣＨの呼確立失敗率を減少させることができる。
【図面の簡単な説明】
【００６６】
【図１】本発明の一実施例による移動通信システムの構成例を示すブロック図である。
【図２】本発明の一実施例によるＲＮＣ１の処理順序を示すフローチャートである。
【図３】本発明の一実施例によるＢｉｔ  Ｒａｔｅ対ＨＳ−ＰＤＳＣＨコード数対応表の一例を示す図である。
【図４】本発明の一実施例におけるＨＳ−ＰＤＳＣＨコード数を増加させることを決定した後に実際に割り当てられるコード数の選択論理を示す図である。
【図５】本発明の一実施例におけるＨＳ−ＰＤＳＣＨコード数を増加させることを決定した後に実際に割り当てられるコード数の選択論理を示す図である。
【図６】本発明の一実施例におけるＨＳ−ＰＤＳＣＨコード数を増加させることを決定した後に実際に割り当てられるコード数の選択論理を示す図である。
【図７】本発明の一実施例におけるＨＳ−ＰＤＳＣＨコード数を減少させることを決定した後に実際に割り当てられるコード数の選択論理を示す図である。
【図８】本発明の一実施例におけるＨＳ−ＰＤＳＣＨコード数を減少させることを決定した後に実際に割り当てられるコード数の選択論理を示す図である。
【図９】本発明の一実施例におけるＨＳ−ＰＤＳＣＨコード数を減少させることを決定した後に実際に割り当てられるコード数の選択論理を示す図である。
【図１０】本発明の一実施例によるＲａｐｉｄ  ＨＳ−ＰＤＳＣＨ  Ｃｏｄｅ  Ｒｅｄｕｃｔｉｏｎ  Ｐｈａｓｅの処理を示すフローチャートである。
【符号の説明】
【００６７】
１  ＲＮＣ
２  基地局
３  移動機
１１  動的ＨＳＤＰＡコード割り当て部
１２  内部周期タイマ
【図１】
2008211695.tif 000003
【図２】
2008211695.tif 000004
【図３】
2008211695.tif 000005
【図４】
2008211695.tif 000006
【図５】
2008211695.tif 000007
【図６】
2008211695.tif 000008
【図７】
2008211695.tif 000009
【図８】
2008211695.tif 000010
【図９】
2008211695.tif 000011
【図１０】
2008211695.tif 000012